(57)【特許請求の範囲】
【請求項１】
コンテンツを操作する情報処理装置において、
前記コンテンツを記録する記録手段からの、前記コンテンツに関係するデータ、および前記コンテンツに対応する権利情報の読み出しを制御する読み出し制御手段と、
前記読み出し制御手段により読み出された権利情報が前記コンテンツの移動の許可を示すか、または前記コンテンツのインポートの許可を示すかに応じて、前記データに対応させて、移動の許可を表す第１のアイコンまたはインポートの許可を表す第２のアイコンを表示させるように表示を制御する表示制御手段と
を含むことを特徴とする情報処理装置。
【請求項２】
前記表示制御手段は、前記権利情報が前記コンテンツの移動の禁止を示す場合、前記データに対応させて、第３のアイコンを表示させるように更に表示を制御する
ことを特徴とする請求項１に記載の情報処理装置。
【請求項３】
前記表示制御手段は、前記権利情報が前記コンテンツのインポートの禁止を示す場合、前記データに対応させて、第３のアイコンを表示させるように更に表示を制御する
ことを特徴とする請求項１に記載の情報処理装置。
【請求項４】
コンテンツを操作する情報処理装置の情報処理方法において、
前記コンテンツを記録する記録手段からの、前記コンテンツに関係するデータ、および前記コンテンツに対応する権利情報の読み出しを制御する読み出し制御ステップと、
前記読み出し制御ステップの処理により読み出された権利情報が前記コンテンツの移動の許可を示すか、または前記コンテンツのインポートの許可を示すかに応じて、前記データに対応させて、移動の許可を表す第１のアイコンまたはインポートの許可を表す第２のアイコンを表示させるように表示を制御する表示制御ステップと
を含むことを特徴とする情報処理方法。
【請求項５】
コンテンツを操作する情報処理用のプログラムであって、
前記コンテンツを記録する記録手段からの、前記コンテンツに関係するデータ、および前記コンテンツに対応する権利情報の読み出しを制御する読み出し制御ステップと、
前記読み出し制御ステップの処理により読み出された権利情報が前記コンテンツの移動の許可を示すか、または前記コンテンツのインポートの許可を示すかに応じて、前記データに対応させて、移動の許可を表す第１のアイコンまたはインポートの許可を表す第２のアイコンを表示させるように表示を制御する表示制御ステップと
を含むことを特徴とするコンピュータが読み取り可能なプログラムが格納されているプログラム格納媒体。
【発明の詳細な説明】
【０００１】
【発明の属する技術分野】
本発明は、情報処理装置および方法、並びにプログラム格納媒体に関し、特に、コンテンツを操作する情報処理装置および方法、並びにプログラム格納媒体に関する。
【０００２】
【従来の技術】
最近、デジタル技術の普及に伴い、音楽データ、画像データなどの各種のデータがデジタル的に記録媒体に記録または再生されるようになってきた。
【０００３】
著作権保護のため、データに対応する権利情報に基づいて、そのデータの再生の回数、または利用できる期間などが制限される場合がある。
【０００４】
更に、使用者は、音楽データ、画像データなどの各種のデータを販売店の店頭に設けられた端末装置などで購入し、自分のパーソナルコンピュータに記録させて利用することができる。販売店などで購入されたデータについて、対応する権利情報により、回数の制限無く移動が許可されるか、または１回に限り移動が許可され、移動の後、チェックアウトまたはチェックインがのみ許可される。
【０００５】
【発明が解決しようとする課題】
しかしながら、ダイアログボックスなどを表示させなければ、使用者は、データに対して許可されている操作を知ることが出来なかった。
【０００６】
本発明はこのような状況に鑑みてなされたものであり、面倒な操作を必要とせず、迅速にコンテンツについて許可されている操作を知ることができるようにすることを目的とする。
【０００７】
【課題を解決するための手段】
請求項１に記載の情報処理装置は、コンテンツを記録する記録手段からの、コンテンツに関係するデータ、およびコンテンツに対応する権利情報の読み出しを制御する読み出し制御手段と、読み出し制御手段により読み出された権利情報がコンテンツの移動の許可を示すか、または前記コンテンツのインポートの許可を示すかに応じて、データに対応させて、移動の許可を表す第１のアイコンまたはインポートの許可を表す第２のアイコンを表示させるように表示を制御する表示制御手段とを含むことを特徴とする。
【０００８】
表示制御手段は、権利情報がコンテンツの移動の禁止を示す場合、データに対応させて、第２のアイコンを表示させるように更に表示を制御するようにすることができる。
【０００９】
表示制御手段は、権利情報がコンテンツのチェックインの許可を示す場合、データに対応させて、第３のアイコンを表示させるように更に表示を制御するようにすることができる。
【００１０】
表示制御手段は、権利情報がコンテンツのチェックインの禁止を示す場合、データに対応させて、第４のアイコンを表示させるように更に表示を制御するようにすることができる。
【００１１】
請求項４に記載の情報処理方法は、コンテンツを記録する記録手段からの、コンテンツに関係するデータ、およびコンテンツに対応する権利情報の読み出しを制御する読み出し制御ステップと、読み出し制御ステップの処理により読み出された権利情報がコンテンツの移動の許可を示すか、または前記コンテンツのインポートの許可を示すかに応じて、データに対応させて、移動の許可を表す第１のアイコンまたはインポートの許可を表す第２のアイコンを表示させるように表示を制御する表示制御ステップとを含むことを特徴とする。
【００１２】
請求項５に記載のプログラム格納媒体のプログラムは、コンテンツを記録する記録手段からの、コンテンツに関係するデータ、およびコンテンツに対応する権利情報の読み出しを制御する読み出し制御ステップと、読み出し制御ステップの処理により読み出された権利情報がコンテンツの移動の許可を示すか、または前記コンテンツのインポートの許可を示すかに応じて、データに対応させて、移動の許可を表す第１のアイコンまたはインポートの許可を表す第２のアイコンを表示させるように表示を制御する表示制御ステップとを含むことを特徴とする。
【００１３】
請求項１に記載の情報処理装置、請求項４に記載の情報処理方法、および請求項５に記載のプログラム格納媒体においては、コンテンツを記録する記録手段からの、コンテンツに関係するデータ、およびコンテンツに対応する権利情報の読み出しが制御され、読み出し制御ステップの処理により読み出された権利情報がコンテンツの移動の許可を示すか、または前記コンテンツのインポートの許可を示すかに応じて、データに対応させて、移動の許可を表す第１のアイコンまたはインポートの許可を表す第２のアイコンを表示させるように表示が制御される。
【００１４】
【発明の実施の形態】
図１は、本発明に係るコンテンツデータ管理システムの一実施の形態を示す図である。パーソナルコンピュータ１は、ローカルエリアネットワークまたはインターネットなどから構成されるネットワーク２に接続されている。パーソナルコンピュータ１は、EMD（Elecrical Music Distribution）サーバ３から受信した、またはCD（Compact Disc）から読み取った楽音のデータ（以下、コンテンツと称する）を、そのまま記録するか、または所定の符号化の方式（例えば、ATRAC3（商標））に変換するとともにDES（Data Encryption Standard）などの暗号化方式で暗号化して記録する。
【００１５】
パーソナルコンピュータ１は、平文のまま、または暗号化して記録しているコンテンツに対応して、コンテンツの利用条件を示す権利情報を記録する。
【００１６】
権利情報は、例えば、その権利情報に対応するコンテンツを同時に利用することができるポータブルデバイス（Portable Device（PDとも称する））の台数（後述する、いわゆるチェックアウトできるPDの台数）を示す。権利情報に示される数だけコンテンツをチェックアウトしたときでも、パーソナルコンピュータ１は、そのコンテンツを再生できる。
【００１７】
または、権利情報は、コンテンツをコピーすることができることを示す。コンテンツをポータブルデバイス５−１乃至５−３にコピーしたとき、パーソナルコンピュータ１は記録しているコンテンツを再生できる。コンテンツの、ポータブルデバイス５−１乃至５−３に記憶させることができる回数は、制限される場合がある。この場合、コピーできる回数は、増えることがない。
【００１８】
または、権利情報は、コンテンツを他のパーソナルコンピュータに移動（以下、ムーブとも称する）することができるなどを示す。ポータブルデバイス５−１乃至５−３にコンテンツを移動させた後、パーソナルコンピュータ１が記録しているコンテンツは使用できなくなる（コンテンツが削除されるか、または権利情報が変更されて使用できなくなる）。
【００１９】
または、権利情報は、記録媒体からパーソナルコンピュータ１にコンテンツが移動された後、チエックアウトまたはチェックインのみが許可される（いわゆる、インポート）ことを示す。メモリカード９−１乃至９−４からパーソナルコンピュータ１にインポートされたコンテンツについて、例えば、ポータブルデバイス５−１乃至５−３にチエックアウトすることは許可されるが、他のパーソナルコンピュータまたはメモリカード９−１乃至９−４に移動することは許可されない。
【００２０】
権利情報の詳細は、後述する。
【００２１】
パーソナルコンピュータ１は、暗号化して記録しているコンテンツを、コンテンツに関連するデータ（例えば、曲名、または再生条件など）と共に、USB（Universal Sirial Bus）ケーブルを介して、接続されているポータブルデバイス５−１に記憶させるとともに、ポータブルデバイス５−１に記憶させたことに対応して、記憶させたコンテンツに対応する権利情報を更新する（以下、チェックアウトと称する）。より詳細には、チェックアウトしたとき、パーソナルコンピュータ１が記録している、そのコンテンツに対応する権利情報のチェックアウトできる回数は、１減らされる。チェックアウトできる回数が０のとき、対応するコンテンツは、チェックアウトすることができない。
【００２２】
パーソナルコンピュータ１は、暗号化して記録しているコンテンツを、コンテンツに関連するデータと共に、USBケーブルを介して、接続されているポータブルデバイス５−２に記憶させるとともに、ポータブルデバイス５−２に記憶させたことに対応して、記憶させたコンテンツに対応する権利情報を更新する。パーソナルコンピュータ１は、暗号化して記録しているコンテンツを、コンテンツに関連するデータと共に、USBケーブルを介して、接続されているポータブルデバイス５−３に記憶させるとともに、ポータブルデバイス５−３に記憶させたことに対応して、記憶させたコンテンツに対応する権利情報を更新する。
【００２３】
また、パーソナルコンピュータ１は、USBケーブルを介して、接続されているポータブルデバイス５−１にパーソナルコンピュータ１がチェックアウトしたコンテンツを、ポータブルデバイス５−１に消去させて（または、使用できなくさせて）、消去させたコンテンツに対応する権利情報を更新する（以下、チェックインと称する）。より詳細には、チェックインしたとき、パーソナルコンピュータ１が記録している、対応するコンテンツの権利情報のチェックアウトできる回数は、１増やされる。
【００２４】
パーソナルコンピュータ１は、USBケーブルを介して、接続されているポータブルデバイス５−２にパーソナルコンピュータ１がチェックアウトしたコンテンツを、ポータブルデバイス５−２に消去させて（または、使用できなくさせて）、消去させたコンテンツに対応する権利情報を更新する。パーソナルコンピュータ１は、USBケーブルを介して、接続されているポータブルデバイス５−３にパーソナルコンピュータ１がチェックアウトしたコンテンツを、ポータブルデバイス５−３に消去させて（または、使用できなくさせて）、消去させたコンテンツに対応する権利情報を更新する。
【００２５】
パーソナルコンピュータ１は、図示せぬ他のパーソナルコンピュータがポータブルデバイス５−１にチェックアウトしたコンテンツをチェックインできない。パーソナルコンピュータ１は、他のパーソナルコンピュータがポータブルデバイス５−２にチェックアウトしたコンテンツをチェックインできない。パーソナルコンピュータ１は、他のパーソナルコンピュータがポータブルデバイス５−３にチェックアウトしたコンテンツをチェックインできない。
【００２６】
EMDサーバ３は、パーソナルコンピュータ１の要求に対応して、ネットワーク２を介して、コンテンツに関連するデータ（例えば、曲名、または再生制限など）と共に、パーソナルコンピュータ１にコンテンツを供給する。
【００２７】
EMDサーバ３が供給するコンテンツは、所定の符号化の方式で符号化され、所定の暗号化の方式で暗号化されている。EMDサーバ３は、コンテンツを復号するための鍵をパーソナルコンピュータ１に供給する。
【００２８】
WWW（World Wide Web）サーバ４は、パーソナルコンピュータ１の要求に対応して、ネットワーク２を介して、コンテンツを読み取ったCDに対応するデータ（例えば、CDのアルバム名、またはCDの販売会社など）、およびCDから読み取ったコンテンツに対応するデータ（例えば、曲名、または作曲者名など）をパーソナルコンピュータ１に供給する。
【００２９】
ポータブルデバイス５−１は、パーソナルコンピュータ１から供給されたコンテンツ（すなわち、チェックアウトされたコンテンツ等）を、コンテンツに関連するデータ（例えば、曲名、または権利情報など）と共に記憶する。ポータブルデバイス５−１は、コンテンツに関連するデータに基づいて、記憶しているコンテンツを再生し、図示せぬヘッドフォンなどに出力する。
【００３０】
例えば、コンテンツに関連するデータとして記憶されている、権利情報に記述されている再生回数を超えて再生しようとしたとき、ポータブルデバイス５−１は、対応するコンテンツの再生を停止する。コンテンツに関連するデータとして記憶されている権利情報に記述されている、再生期限を過ぎた後に再生しようとしたとき、ポータブルデバイス５−１は、対応するコンテンツの再生を停止する。
【００３１】
使用者は、コンテンツを記憶したポータブルデバイス５−１をパーソナルコンピュータ１から取り外して、持ち歩き、記憶しているコンテンツを再生させて、コンテンツに対応する音楽などをヘッドフォンなどで聴くことができる。
【００３２】
ポータブルデバイス５−２は、パーソナルコンピュータ１から供給されたコンテンツを、コンテンツに関連するデータと共に記憶する。ポータブルデバイス５−２は、コンテンツに関連するデータに基づいて、記憶しているコンテンツを再生し、図示せぬヘッドフォンなどに出力する。使用者は、コンテンツを記憶したポータブルデバイス５−２をパーソナルコンピュータ１から取り外して、持ち歩き、記憶しているコンテンツを再生させて、コンテンツに対応する音楽などをヘッドフォンなどで聴くことができる。
【００３３】
ポータブルデバイス５−３は、パーソナルコンピュータ１から供給されたコンテンツを、コンテンツに関連するデータと共に記憶する。ポータブルデバイス５−３は、コンテンツに関連するデータに基づいて、記憶しているコンテンツを再生し、図示せぬヘッドフォンなどに出力する。使用者は、コンテンツを記憶したポータブルデバイス５−３をパーソナルコンピュータ１から取り外して、持ち歩き、記憶しているコンテンツを再生させて、コンテンツに対応する音楽などをヘッドフォンなどで聴くことができる。
【００３４】
メモリカード９−１は、販売店の店頭などに設けられた端末装置６に挿入され、端末装置６の操作により使用者が購入したコンテンツを、対応する権利情報と共に記憶する。メモリカード９−１に記憶された所定のコンテンツは、権利情報の基に、インポートが許可され、移動は許可されない。
【００３５】
コンテンツを記憶したメモリカード９−１は、パーソナルコンピュータ１のスロットに装着される。パーソナルコンピュータ１は、装着されたメモリカード９−１から記憶されているコンテンツをインポートする。パーソナルコンピュータ１は、インポートされたコンテンツに対応する、チェックアウトまたはチェックインのみを許可する権利情報を生成して、生成した権利情報を記憶する。パーソナルコンピュータ１にインポートされたコンテンツは、権利情報の基に、ポータブルデバイス５−１乃至５−３へのチェックアウトが許可されるか、またはポータブルデバイス５−１乃至５−３からチェックインが許可される。
【００３６】
メモリカード９−２は、携帯電話機７に挿入され、携帯電話機７の操作により使用者が購入したコンテンツ（例えば、携帯電話回線を介して、ダウンロードされたコンテンツ）を、対応する権利情報と共に記憶する。メモリカード９−２に記憶された所定のコンテンツは、権利情報の基に、インポートが許可され、移動は許可されない。
【００３７】
コンテンツを記憶したメモリカード９−２は、パーソナルコンピュータ１のスロットに装着される。パーソナルコンピュータ１は、装着されたメモリカード９−２から記憶されているコンテンツをインポートする。パーソナルコンピュータ１は、インポートされたコンテンツに対応する、チェックアウトまたはチェックインのみを許可する権利情報を生成して、生成した権利情報を記憶する。
【００３８】
メモリカード９−３は、PDA（Personal Digital Assistant）８に挿入され、PDA８の操作により、ネットワーク２を介して、例えばEMDサーバ３から使用者が購入したコンテンツを、対応する権利情報と共に記憶する。メモリカード９−３に記憶された所定のコンテンツは、権利情報の基に、インポートが許可され、移動は許可されない。
【００３９】
コンテンツを記憶したメモリカード９−３は、パーソナルコンピュータ１のスロットに装着される。パーソナルコンピュータ１は、装着されたメモリカード９−３から記憶されているコンテンツをインポートする。パーソナルコンピュータ１は、インポートされたコンテンツに対応する、チェックアウトまたはチェックインのみを許可する権利情報を生成して、生成した権利情報を記憶する。
【００４０】
メモリカード９−４は、録音機能付きポータブルデバイス５−４に挿入され、ポータブルデバイス５−４の操作により録音したコンテンツを、対応して生成した権利情報と共に記憶する。メモリカード９−４に記憶されたコンテンツは、権利情報の基に、インポートが許可され、移動は許可されない。
【００４１】
コンテンツを記憶したメモリカード９−４は、パーソナルコンピュータ１のスロットに装着される。パーソナルコンピュータ１は、装着されたメモリカード９−４から記憶されているコンテンツをインポートする。パーソナルコンピュータ１は、インポートされたコンテンツに対応する、チェックアウトまたはチェックインのみを許可する権利情報を生成して、生成した権利情報を記憶する。
【００４２】
以下、ポータブルデバイス５−１乃至５−４を個々に区別する必要がないとき、単に、ポータブルデバイス５と称する。以下、メモリカード９−１乃至９−４を個々に区別する必要がないとき、単に、メモリーカード９と称する。
【００４３】
図２は、パーソナルコンピュータ１の構成を説明する図である。CPU（Central Processing Unit）１１は、後述する機能を実現するための各種アプリケーションプログラムや、OS（Operating System)を実際に実行する。ROM（Read-only Memory）１２は、一般的には、CPU１１が使用するプログラムや演算用のパラメータのうちの基本的に固定のデータを格納する。RAM（Random-Access Memory）１３は、CPU１１の実行において使用するプログラムや、その実行において適宜変化するパラメータを格納する。これらはCPUバスなどから構成されるホストバス１４により相互に接続されている。
【００４４】
ホストバス１４は、ブリッジ１５を介して、PCI(Peripheral Component Interconnect/Interface)バスなどの外部バス１６に接続されている。
【００４５】
キーボード１８は、CPU１１に各種の指令を入力するとき、使用者により操作される。マウス１９は、ディスプレイ２０の画面上のポイントの指示や選択を行うとき、使用者により操作される。ディスプレイ２０は、液晶表示装置またはCRT（Cathode Ray Tube）などから成り、各種情報をテキストやイメージで表示する。HDD（Hard Disk Drive）２１は、ハードディスクを駆動し、それらにCPU１１によって実行するプログラムや情報を記録または再生させる。
【００４６】
ドライブ２２は、装着されている磁気ディスク４１、光ディスク４２（CDを含む）、光磁気ディスク４３、または半導体メモリ４４に記録されているデータまたはプログラムを読み出して、そのデータまたはプログラムを、インターフェース１７、外部バス１６、ブリッジ１５、およびホストバス１４を介して接続されているRAM１３に供給する。
【００４７】
USBポート２３−１には、USBケーブルを介して、ポータブルデバイス５−１が接続される。USBポート２３−１は、インターフェース１７、外部バス１６、ブリッジ１５、またはホストバス１４を介して、HDD２１、CPU１１、またはRAM１３から供給されたデータ（例えば、コンテンツまたはポータブルデバイス５−１のコマンドなどを含む）をポータブルデバイス５−１に出力する。
【００４８】
USBポート２３−２には、USBケーブルを介して、ポータブルデバイス５−２が接続される。USBポート２３−２は、インターフェース１７、外部バス１６、ブリッジ１５、またはホストバス１４を介して、HDD２１、CPU１１、またはRAM１３から供給されたデータ（例えば、コンテンツまたはポータブルデバイス５−２のコマンドなどを含む）をポータブルデバイス５−２に出力する。
【００４９】
USBポート２３−３には、USBケーブルを介して、ポータブルデバイス５−３が接続される。USBポート２３−３は、インターフェース１７、外部バス１６、ブリッジ１５、またはホストバス１４を介して、HDD２１、CPU１１、またはRAM１３から供給されたデータ（例えば、コンテンツまたはポータブルデバイス５−３のコマンドなどを含む）をポータブルデバイス５−３に出力する。
【００５０】
スピーカ２４は、インタフェース１７から供給された音声信号を基に、コンテンツに対応する所定の音声を出力する。
【００５１】
これらのキーボード１８乃スピーカ２４は、インターフェース１７に接続されており、インターフェース１７は、外部バス１６、ブリッジ１５、およびホストバス１４を介してCPU１１に接続されている。
【００５２】
通信部２５は、ネットワーク２が接続され、CPU１１、またはHDD２１から供給されたデータ（例えば、コンテンツの送信要求など）を、所定の方式のパケットに格納して、ネットワーク２を介して、送信するとともに、ネットワーク２を介して、受信したパケットに格納されているデータ（例えば、コンテンツなど）をCPU１１、RAM１３、またはHDD２１に出力する。
【００５３】
メモリカードインターフェース２６は、パーソナルコンピュータ１に装着されたメモリカード９から、メモリカード９に記憶されているコンテンツおよび対応する権利情報を読み出して、CPU１１、RAM１３、またはHDD２１に供給すると共に、CPU１１、RAM１３、またはHDD２１から供給されたデータをメモリカード９に記憶させる。
【００５４】
通信部２５およびメモリカードインターフェース２６は、外部バス１６、ブリッジ１５、およびホストバス１４を介してCPU１１に接続されている。
【００５５】
以下、USBポート２３−１乃至２３−３を個々に区別する必要がないとき、単に、USBポート２３と称する。
【００５６】
図３は、CPU１１がコンテンツ管理プログラムを実行することにより実現されるパーソナルコンピュータ１の機能を説明するブロック図である。GUI（Graphical User Interface）部１０１は、使用者によるキーボード１８またはマウス１９の操作に対応して、曲管理部１０４に、使用者が所望するコンテンツに対応する曲名またはコンテンツが格納されているファイルのファイル名などを供給するとともに、データベース１０７へのコンテンツに対応するデータの登録を要求する。
【００５７】
GUI部１０１は、曲管理部１０４を介して、データベース１０７からコンテンツに対応するデータ、例えば、曲ID、曲名、またはアーティスト名、および権利情報格納部１０５から曲名または権利情報などのデータを取得して、曲ID、曲名、またはアーティスト名などのテキスト、および権利情報に対応するアイコンをディスプレイ２０に表示させる。
【００５８】
GUI部１０１は、転送処理部１０３からパーソナルデバイス５−１若しくは５−２またはメモリカード９に格納されているコンテンツに対応するデータ、例えば、メディアコンテンツID、曲名、若しくはアーティスト名、または権利情報などのデータを取得して、曲名、またはアーティスト名などのテキスト、および権利情報に対応するアイコンをディスプレイ２０に表示させる。
【００５９】
GUI部１０１は、使用者の操作によりコンテンツの再生が要求されたとき、再生が要求されたコンテンツに対応する曲IDをコンテンツ管理処理部１０２に供給すると共に、コンテンツの再生をコンテンツ管理処理部１０２に要求する。
【００６０】
GUI部１０１は、使用者の操作によりコンテンツの転送（チェックアウト、コピー、または移動など）が要求されたとき、転送が要求されたコンテンツに対応する曲IDを転送処理部１０３に供給すると共に、コンテンツの転送を転送処理部１０３に要求する。
【００６１】
GUI部１０１は、使用者の操作によりコンテンツのインポートが要求されたとき、インポートが要求されたコンテンツに対応するメディアコンテンツIDを転送処理部１０３に供給すると共に、コンテンツのインポートを転送処理部１０３に要求する。
【００６２】
コンテンツ管理処理部１０２は、GUI部１０１からコンテンツの再生が要求されたとき、曲管理部１０４に、再生が要求されたコンテンツに対応する曲IDを供給すると共に、コンテンツに対応するファイル名を要求する。コンテンツ管理処理部１０２は、曲管理部１０４からファイル名を取得したとき、曲管理部１０４、ファイル検索部１０６、およびデータベース１０７を介して、曲ファイル格納部１０８−１または１０８−２から、コンテンツを取得する。
【００６３】
コンテンツ管理処理部１０２は、取得したコンテンツをPC（Protected Content）プラグイン１０９−１または１０９−２に供給する。
【００６４】
PCプラグイン１０９−１は、コンテンツ管理処理部１０２からコンテンツが供給されたとき、コンテンツが暗号化されていない場合、符号化されているコンテンツを復号して、音声データを音声出力部１１０−１に供給する。PCプラグイン１０９−１は、コンテンツ管理処理部１０２からコンテンツが供給されたとき、コンテンツが暗号化されている場合、暗号化されているコンテンツを平文に復号するとともに、符号化されているコンテンツを復号して、音声データを音声出力部１１０−１に供給する。音声出力部１１０−１は、音声データを基に、音声信号を生成して、スピーカ２４に音声を出力させる。
【００６５】
PCプラグイン１０９−２は、コンテンツ管理処理部１０２からコンテンツが供給されたとき、コンテンツが暗号化されていない場合、符号化されているコンテンツを復号して、音声データを音声出力部１１０−２に供給する。PCプラグイン１０９−２は、コンテンツ管理処理部１０２からコンテンツが供給されたとき、コンテンツが暗号化されている場合、暗号化されているコンテンツを平文に復号するとともに、符号化されているコンテンツを復号して、音声データを音声出力部１１０−２に供給する。音声出力部１１０−２は、音声データを基に、音声信号を生成して、スピーカ２４に音声を出力させる。
【００６６】
使用者は、PCプラグインをパーソナルコンピュータ１に更に追加インストールすることができる。
【００６７】
以下、PCプラグイン１０９−１またはPCプラグイン１０９−２を個々に区別する必要が無いとき、単に、PCプラグイン１０９と称する。
【００６８】
転送処理部１０３は、GUI部１０１からコンテンツの転送が要求されたとき、転送が要求されたコンテンツに対応する曲IDを曲管理部１０４に供給すると共に、コンテンツに対応するファイル名を要求する。転送処理部１０３は、曲管理部１０４からファイル名を取得したとき、曲管理部１０４、ファイル検索部１０６、およびデータベース１０７を介して、曲ファイル格納部１０８−１または１０８−２から、ファイル名に対応するコンテンツを取得する。
【００６９】
転送処理部１０３は、取得したコンテンツをPDプラグイン１１１−１または１１１−２に供給する。
【００７０】
転送処理部１０３は、GUI部１０１からコンテンツのインポートが要求されたとき、インポートが要求されたコンテンツに対応するメディアコンテンツIDをメモリカードプラグイン１１２に供給すると共に、メディアコンテンツIDに対応するコンテンツのインポートを要求する。転送処理部１０３は、メモリカードプラグイン１１２から、インポートされるコンテンツを、対応する権利情報と共に取得する。
【００７１】
転送処理部１０３は、インポートされるコンテンツを、権利情報と共に曲管理部１０４に供給する。
【００７２】
転送処理部１０３は、GUI部１０１からコンテンツのメモリカード９からパーソナルコンピュータ１への移動（ムーブ）が要求されたとき、移動が要求されたコンテンツに対応するメディアコンテンツIDをメモリカードプラグイン１１２に供給すると共に、メディアコンテンツIDに対応するコンテンツの移動を要求する。転送処理部１０３は、メモリカードプラグイン１１２から、移動されるコンテンツを、対応する権利情報と共に取得する。
【００７３】
転送処理部１０３は、移動されるコンテンツを、権利情報と共に曲管理部１０４に供給する。
【００７４】
PDプラグイン１１１−１は、ポータブルデバイス５−１にコンテンツを転送するとき、ポータブルデバイス５−１と相互認証する。相互認証されなかったとき、PDプラグイン１１１−１は、ポータブルデバイス５−１にコンテンツを転送しない。
【００７５】
PDプラグイン１１１−１は、転送処理部１０３からコンテンツが供給されたとき、コンテンツが暗号化されている場合、コンテンツに関連するデータと共にコンテンツをポータブルデバイス５−１に供給する。PDプラグイン１１１−１は、転送処理部１０３からコンテンツが供給されたとき、コンテンツが暗号化されていない場合、コンテンツを暗号化して、コンテンツに関連するデータと共に暗号化されたコンテンツをポータブルデバイス５−１に供給する。
【００７６】
なお、相互認証の処理は、ポータブルデバイス５−１がパーソナルコンピュータ１に接続されたとき、実行されるようにしてもよい。
【００７７】
PDプラグイン１１１−２は、ポータブルデバイス５−２にコンテンツを転送するとき、ポータブルデバイス５−２と相互認証する。相互認証されなかったとき、PDプラグイン１１１−２は、ポータブルデバイス５−２にコンテンツを転送しない。
【００７８】
PDプラグイン１１１−２は、転送処理部１０３からコンテンツが供給されたとき、コンテンツが暗号化されている場合、コンテンツに関連するデータと共にコンテンツをポータブルデバイス５−２に供給する。PDプラグイン１１１−２は、転送処理部１０３からコンテンツが供給されたとき、コンテンツが暗号化されていない場合、コンテンツを暗号化して、コンテンツに関連するデータと共に暗号化されたコンテンツをポータブルデバイス５−２に供給する。
【００７９】
なお、相互認証の処理は、ポータブルデバイス５−２がパーソナルコンピュータ１に接続されたとき、実行されるようにしてもよい。
【００８０】
使用者は、PDプラグインをパーソナルコンピュータ１に更に追加インストールすることができる。
【００８１】
以下、PDプラグイン１１１−１またはPDプラグイン１１１−２を個々に区別する必要がないとき、単に、PDプラグイン１１１と称する。
【００８２】
メモリカードプラグイン１１２は、転送処理部１０３からコンテンツのインポートが要求されたとき、メモリカード９からメディアコンテンツIDに対応するコンテンツを、対応する権利情報と共に読み出す。メモリカードプラグイン１１２は、読み出したコンテンツおよび権利情報を転送処理部１０３に供給する。
【００８３】
メモリカードプラグイン１１２は、転送処理部１０３からコンテンツの移動が要求されたとき、メモリカード９からメディアコンテンツIDに対応するコンテンツを、対応する権利情報と共に読み出す。メモリカードプラグイン１１２は、読み出したコンテンツおよび権利情報を転送処理部１０３に供給する。
【００８４】
曲管理部１０４は、データベース１０７に、コンテンツに対応する曲名、コンテンツに対応するファイル名などのデータを記録させると共に、データベース１０７から、曲名またはファイル名などを読み出す。曲管理部１０４は、GUI部１０１から曲名またはファイル名を受信したとき、データベース１０７にレコードを追加させ、レコードのアイテムとして、曲名またはファイル名を記録させる。
【００８５】
曲管理部１０４は、転送処理部１０３から、インポートされるコンテンツおよび権利情報が供給されたとき、コンテンツに対応する曲名、コンテンツに対応するファイル名などのデータを記録させると共に、コンテンツを曲ファイル格納部１０８−１または１０８−２に記録させる。曲管理部１０４は、インポートされるコンテンツに対応して供給された権利情報を基に、新たに権利情報を生成して、権利情報格納部１０５に記録させる。このとき、曲管理部１０４に生成される権利情報は、チェックインまたはチェックアウトのみを許可する旨を記録する。
【００８６】
曲管理部１０４は、転送処理部１０３から、移動されるコンテンツおよび権利情報が供給されたとき、コンテンツに対応する曲名、コンテンツに対応するファイル名などのデータを記録させると共に、コンテンツを曲ファイル格納部１０８−１または１０８−２に記録させる。曲管理部１０４は、インポートされるコンテンツに対応して供給された権利情報を権利情報格納部１０５に記録させる。
【００８７】
曲管理部１０４は、GUI部１０１からの要求に対応して、データベース１０７に記録されている全ての曲名および曲IDなどをデータベース１０７から読み出して、GUI部１０１に供給する。
【００８８】
曲管理部１０４は、コンテンツ管理処理部１０２から曲IDが供給されたとき、曲IDに対応するファイル名をデータベース１０７から読み出して、読み出したファイル名をコンテンツ管理処理部１０２に供給する。曲管理部１０４は、転送処理部１０３から曲IDが供給されたとき、曲IDに対応するファイル名をデータベース１０７から読み出して、読み出したファイル名を転送処理部１０３に供給する。
【００８９】
ファイル検索部１０６は、曲管理部１０４の要求に対応して、データベース１０７から取得したファイル名を基に、曲ファイル格納部１０８−１または１０８−２からファイル名に対応するファイル（コンテンツが格納されている）を検索する。ファイル検索部１０６は、曲ファイル格納部１０８−１または１０８−２から読み出したファイルを曲管理部１０４に供給するか、またはファイルのファイル名を変更して、ファイル名を変更したファイルを曲管理部１０４に供給する。
【００９０】
曲管理部１０４は、ファイル検索部１０６から供給された、コンテンツが格納されているファイルをコンテンツ管理処理部１０２または転送処理部１０３に供給する。
【００９１】
データベース１０７は、コンテンツに関するデータ、例えば、曲のID、曲名、ファイル名、またはその他の属性などを記録する。データベース１０７は、HDD２１に格納される。
【００９２】
曲ファイル格納部１０８−１は、例えば、HDD２１またはリムーバブルディスク装置などの図示せぬ外部記憶装置で構成され、ファイルとしてコンテンツを格納する。曲ファイル格納部１０８−１に記録されているコンテンツは、権利情報を有するものと、権利情報を有しないものがある。曲ファイル格納部１０８−１は、１つの曲に対応する、１以上のファイルを格納することができる。曲ファイル格納部１０８−１は、例えば、１つのドライブレターに対応する。曲ファイル格納部１０８−１に対応するドライブレターが、変更される場合がある。
【００９３】
曲ファイル格納部１０８−２は、例えば、HDD２１またはリムーバブルディスク装置などの図示せぬ外部記憶装置で構成され、ファイルとしてコンテンツを格納する。曲ファイル格納部１０８−２に記録されているコンテンツは、権利情報を有するものと、権利情報を有しないものがある。曲ファイル格納部１０８−２は、１つの曲に対応する、１以上のファイルを格納することができる。曲ファイル格納部１０８−２は、例えば、１つのドライブレターに対応する。曲ファイル格納部１０８−２に対応するドライブレターが、変更される場合がある。
【００９４】
１つの曲に対応する、１以上のファイルが、曲ファイル格納部１０８−１に記録され、その曲に対応する、１以上のファイルが曲ファイル格納部１０８−２に記録される場合がある。
【００９５】
図４は、メモリカード９に記憶されているコンテンツに対応し、メモリカード９に記憶されている権利情報の例を示す図である。メモリカード９に記憶されている権利情報は、例えば、メディアコンテンツID、曲名、機器ID、機器コンテンツID、チェックアウト回数、コピー制御フラグ、および曲データポインタなどにより構成される。
【００９６】
メディアコンテンツIDは、メモリカード９内で、１つの曲に一意に対応し、曲毎に固有の値を有する識別子である。曲名は、曲の名前を示す。
【００９７】
機器IDは、そのコンテンツをチェックアウトした機器のID、そのコンテンツを移動させた機器のID、またはそのコンテンツを記憶させた機器のIDのいずれかである。例えば、そのコンテンツがチェックアウトされたとき、機器IDは、そのコンテンツをチェックアウトした機器のIDを示す。そのコンテンツが移動されて記憶されたとき、機器IDは、そのコンテンツを移動させた機器のIDを示す。そのコンテンツがインポートされるコンテンツであるとき、機器IDは、そのコンテンツを記憶させた機器のIDを示す。
【００９８】
機器コンテンツIDは、そのコンテンツをチェックアウトした機器、そのコンテンツを移動させた機器、またはそのコンテンツを記憶させた機器の中で、曲毎に固有の値を有する識別子である。
【００９９】
チェックアウト回数は、そのコンテンツをチェックアウトできる回数を示す。チェックアウト回数が-1のとき、そのコンテンツのチェックアウトできる回数は、制限されない。
【０１００】
コピー制御フラグは、そのコンテンツに許可されている操作を示す。例えば、コピー制御フラグが1のとき、そのコンテンツをチェックアウトした機器に、そのコンテンツをチェックインすることが許可される。コピー制御フラグが2のとき、そのコンテンツを移動することが許可される。コピー制御フラグが3のとき、そのコンテンツをインポートすることが許可される。0であるコピー制御情報は、無効を示す。
【０１０１】
曲データポインタは、メモリカード９において、そのコンテンツが格納されている先頭のアドレスを示す。
【０１０２】
図４に示す例において、メディアコンテンツIDが1であるコンテンツは、曲名が”Song-A”であり、機器IDが”0x001BA63F”であり、機器コンテンツIDが”0x0083”であり、チェックアウト回数が”0”であり、コピー制御情報が”1”であり、曲データポインタは、”0x5A00”である。従って、メディアコンテンツIDが1であるコンテンツは、機器IDが”0x001BA63F”である機器にチェックインが許可されている。メディアコンテンツIDが1であるコンテンツは、機器IDが”0x001BA63F”である機器以外の機器にはチェックインが許可されない。
【０１０３】
メディアコンテンツIDが2であるコンテンツは、曲名が”Song-B”であり、機器IDが”0x6EBD734C”であり、機器コンテンツIDが”0x0003”であり、チェックアウト回数が”3”であり、コピー制御情報が”2”であり、曲データポインタは、”0x7BC0”である。従って、メディアコンテンツIDが2であるコンテンツは、機器IDが”0x6EBD734C”である機器から移動され、移動が許可されている。
【０１０４】
メディアコンテンツIDが3であるコンテンツは、曲名が”Song-C”であり、機器IDが”0x9D712C5A”であり、機器コンテンツIDが”0x00AF”であり、チェックアウト回数が”3”であり、コピー制御情報が”3”であり、曲データポインタは、”0x93F0”である。従って、メディアコンテンツIDが3であるコンテンツは、機器IDが”0x9D712C5A”である機器により記憶され、インポートが許可されている。
【０１０５】
図５を参照して、コンテンツのインポートについて説明する。
【０１０６】
メモリカード９は、EMDサーバ３、端末装置６、またはポータブルデバイス５−４から記憶された、インポートが許可されているコンテンツを記憶する。
【０１０７】
インポートが許可されているコンテンツがメモリカード９から、パーソナルコンピュータ１にインポートされたとき、パーソナルコンピュータ１にインポートされたコンテンツについて、例えば、ポータブルデバイス５−１にチェックアウトし、チエックアウトした後、ポータブルデバイス５−１からチェックインすることが許可される。しかし、パーソナルコンピュータ１にインポートされたコンテンツについて、メモリカード９への移動は許可されない。
【０１０８】
図６を参照して、コンテンツの移動について説明する。
【０１０９】
メモリカード９は、EMDサーバ３、端末装置６、またはポータブルデバイス５−４から記憶された、移動が許可されているコンテンツを記憶する。
【０１１０】
移動が許可されているコンテンツがメモリカード９から、パーソナルコンピュータ１に移動されたとき、パーソナルコンピュータ１に移動されたコンテンツについて、例えば、ポータブルデバイス５−１にチェックアウトし、チエックアウトした後、ポータブルデバイス５−１からチェックインすることが許可される。
【０１１１】
パーソナルコンピュータ１に移動されたコンテンツついて、メモリカード９への移動が許可される。更に、メモリカード９に移動されたコンテンツについて、パーソナルコンピュータ１への移動が許可される。
【０１１２】
しかし、ポータブルデバイス５−１にチェックアウトされた後、コンテンツが、メモリカード９へ移動されたとき、ポータブルデバイス５−１に格納されているコンテンツについて、パーソナルコンピュータ１へのチェックインは許可されない。
【０１１３】
図７は、権利情報格納部１０５に記憶されているコンテンツに対応する、パーソナルコンピュータ１に記憶されている権利情報の例を示す図である。パーソナルコンピュータ１に記憶されている権利情報は、例えば、メディアコンテンツID、曲名、機器ID、機器コンテンツID、チェックアウト回数、およびファイル名などにより構成される。
【０１１４】
メディアコンテンツIDは、パーソナルコンピュータ１の記録媒体、例えばHDD２１内で、１つの曲に一意に対応し、曲毎に固有の値を有する識別子である。曲名は、曲の名前を示す。
【０１１５】
機器IDは、パーソナルコンピュータ１のIDを示す。
【０１１６】
機器コンテンツIDは、パーソナルコンピュータ１の中で、曲毎に固有の値を有する識別子である。
【０１１７】
チェックアウト回数は、そのコンテンツをチェックアウトできる回数を示す。チェックアウト回数が-1のとき、そのコンテンツのチェックアウトできる回数は、制限されない。
【０１１８】
ファイル名は、例えば、ドライブ名、フォルダ名から成るパスを含むファイル名を示す。権利情報格納部１０５は、コンテンツが登録された時点（コンテンツが記憶された時点、またはコンテンツに関係するデータがデータベース１０７に登録された時点）におけるコンテンツが格納されているファイル（曲ファイル格納部１０８−１または１０８−２に記憶されている）の名前をファイル名として記憶する。
【０１１９】
図７に示す例において、メディアコンテンツIDが1であるコンテンツは、曲名が”Song-A”であり、機器IDが”0x001BA63F”であり、機器コンテンツIDが”0x0083”であり、チェックアウト回数が”0”であり、ファイル名が”F:\MyMusic\Album\01-Song-a.omg”である。メディアコンテンツIDが2であるコンテンツは、曲名が”Song-B”であり、機器IDが”0x001BA63F”であり、機器コンテンツIDが”0x0003”であり、チェックアウト回数が”3”であり、ファイル名が”F:\MyMusic\Album\02-Song-b.omg”である。メディアコンテンツIDが3であるコンテンツは、曲名が”Song-C”であり、機器IDが”0x001BA63F”であり、機器コンテンツIDが”0x00AF”であり、チェックアウト回数が”3”であり、ファイル名が”F:\MyMusic\New\01-Song-c.omg”である。
【０１２０】
図８および図９に示す例を参照してGUI部１０１がディスプレイ２０に表示させる、権利情報に対応するアイコンについて説明する。
【０１２１】
GUI部１０１は、ディスプレイ２０に、メモリカード９に格納されているコンテンツに対応する曲名などを表示するためのフィールド２０１を含むウィンドウを表示させる。
【０１２２】
メモリカード９に格納されているコンテンツに対応するコピー制御フラグが”1”であり、メモリカード９に格納されているコンテンツに対応する機器IDがパーソナルコンピュータ１の機器IDと同一であるとき、そのコンテンツについてチェックインが許可されるので、GUI部１０１は、チェックインが許可されている旨を示すアイコン２０２−１または２０２−２（例えば、８分音符のアイコン）を、コンテンツの曲名などに対応させてフィールド２０１に表示させる。
【０１２３】
図９（Ａ）は、アイコン２０２−１または２０２−２を示す図である。
【０１２４】
以下、アイコン２０２−１および２０２−２を個々に区別する必要がないとき、単に、アイコン２０２と称する。
【０１２５】
メモリカード９に格納されているコンテンツに対応するコピー制御フラグが”3”であるとき、そのコンテンツについてインポートが許可されるので、GUI部１０１は、インポートが許可されている旨を示すアイコン２０３（例えば、ヘ音記号のアイコン）を、コンテンツの曲名などに対応させてフィールド２０１に表示させる。
【０１２６】
図９（Ｂ）は、アイコン２０３を示す図である。
【０１２７】
メモリカード９に格納されているコンテンツに対応するコピー制御フラグが”1”であり、メモリカード９に格納されているコンテンツに対応する機器IDがパーソナルコンピュータ１の機器IDと同一でないとき、そのコンテンツについてチェックインが許可されないので、GUI部１０１は、チェックインが許可されていない旨を示すアイコン２０４（例えば、４分休符のアイコン）を、コンテンツの曲名などに対応させてフィールド２０１に表示させる。
【０１２８】
図９（Ｃ）は、アイコン２０４を示す図である。
【０１２９】
メモリカード９に格納されているコンテンツに対応するコピー制御フラグが”2”であるとき、そのコンテンツについて移動が許可されるので、GUI部１０１は、移動が許可されている旨を示すアイコン２０５（例えば、シャープのアイコン）を、コンテンツの曲名などに対応させてフィールド２０１に表示させる。
【０１３０】
図９（Ｄ）は、アイコン２０５を示す図である。
【０１３１】
インポートが許可されているコンテンツ、すなわちアイコン２０３が付されたコンテンツが選択され、ボタン２０６がクリックされたとき、GUI部１０１は、転送処理部１０３に、対応するコンテンツのインポートを要求する。
【０１３２】
次に、図１０に示すフローチャートを参照して、GUI部１０１によるアイコンの表示の処理を説明する。
【０１３３】
ステップＳ１１において、GUI部１０１は、メモリカードプラグイン１１２および転送処理部１０３を介して、メモリカード９から読み出した権利情報に含まれるコピー制御フラグがインポートの許可を示しているか否かを判定し、コピー制御フラグがインポートの許可を示していると判定された場合、ステップＳ１２に進み、インポートの許可を示すアイコン２０３を設定し、ステップＳ２０に進む。
【０１３４】
ステップＳ１１において、コピー制御フラグがインポートの許可を示していないと判定された場合、ステップＳ１３に進み、GUI部１０１は、権利情報に含まれるコピー制御フラグが移動の許可を示しているか否かを判定し、コピー制御フラグが移動の許可を示していると判定された場合、ステップＳ１４に進み、移動の許可を示すアイコン２０５を設定し、ステップＳ２０に進む。
【０１３５】
ステップＳ１３において、コピー制御フラグが移動の許可を示していないと判定された場合、ステップＳ１５に進み、GUI部１０１は、権利情報に含まれるコピー制御フラグがチェックアウトされたコンテンツを示しているか否かを判定し、コピー制御フラグがチェックアウトされたコンテンツを示していると判定された場合、ステップＳ１６に進む。
【０１３６】
ステップＳ１６において、GUI部１０１は、権利情報に含まれる機器IDが自分自身の機器IDと等しいか否かを判定し、権利情報に含まれる機器IDが自分自身の機器IDと等しいと判定された場合、ステップＳ１７に進み、自分がチェックアウトしたことを示すアイコン、すなわちチェックインが許可されていることを示すアイコン２０２を設定し、ステップＳ２０に進む。
【０１３７】
ステップＳ１６において、権利情報に含まれる機器IDが自分自身の機器IDと異なると判定された場合、ステップＳ１８に進み、GUI部１０１は、他の機器からチェックアウトされたことを示すアイコン、すなわちチェックインが許可されていないことを示すアイコン２０４を設定し、ステップＳ２０に進む。
【０１３８】
ステップＳ１５において、コピー制御フラグがチェックアウトされたコンテンツを示していないと判定された場合、ステップＳ１９に進み、GUI部１０１は、デフォルトのアイコン（アイコン２０２、アイコン２０３、アイコン２０４、およびアイコン２０５と異なるアイコン）を設定し、ステップＳ２０に進む。
【０１３９】
ステップＳ２０において、GUI部１０１は、設定されたアイコンを表示して、処理は終了する。
【０１４０】
以上のように、GUI部１０１が、メモリカード９から読み出した権利情報に含まれるコピー制御フラグに対応して、アイコンを表示させるので、使用者は、迅速にコンテンツについて許可されている操作を知ることができる。
【０１４１】
なお、コンテンツは、楽音のデータであるして説明したが、動画像、静止画像、数値などのデータ、またはプログラムなどでもよい。
【０１４２】
また、パーソナルコンピュータ１は、メモリカード９から権利情報を読み出して、アイコンを表示すると説明したが、メモリカード９に限らず、コンテンツを記憶している、ポータブルデバイス５、携帯電話機、携帯型撮像機能付きビデオカセットレコーダ、携帯型パーソナルコンピュータ、またはPDAなどから権利情報を読み出して、アイコンを表示するようにしてもよい。
【０１４３】
なお、パーソナルコンピュータ１は、メモリカード９からコンテンツをインポートまたは転送すると説明したが、ポータブルデバイスに限らず、磁気ディスク、光ディスク、または光磁気ディスクなどの記録媒体からコンテンツをインポートまたは転送するようにしてもよい。
【０１４４】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム格納媒体からインストールされる。
【０１４５】
コンピュータにインストールされ、コンピュータによって実行可能な状態とされるプログラムを格納するプログラム格納媒体は、図２に示すように、磁気ディスク４１（フロッピディスクを含む）、光ディスク４２（CD-ROM(Compact Disc-Read Only Memory)、ＤＶＤ(Digital Versatile Disc)を含む）、光磁気ディスク４３（ＭＤ(Mini-Disc)を含む）、若しくは半導体メモリ４４などよりなるパッケージメディア、または、プログラムが一時的若しくは永続的に格納されるROM１２や、HDD２１などにより構成される。プログラム格納媒体へのプログラムの格納は、必要に応じてルータ、モデムなどのインタフェースを介して、ローカルエリアネットワーク、インターネット、デジタル衛星放送といった、有線または無線の通信媒体を利用して行われる。
【０１４６】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【０１４７】
また、本明細書において、システムとは、複数の装置により構成される装置全体を表すものである。
【０１４８】
【発明の効果】
請求項１に記載の情報処理装置、請求項４に記載の情報処理方法、および請求項５に記載のプログラム格納媒体によれば、コンテンツを記録する記録手段からの、コンテンツに関係するデータ、およびコンテンツに対応する権利情報の読み出しが制御され、読み出し制御ステップの処理により読み出された権利情報がコンテンツの移動の許可を示すか、または前記コンテンツのインポートの許可を示すかに応じて、データに対応させて、移動の許可を表す第１のアイコンまたはインポートの許可を表す第２のアイコンを表示させるように表示が制御されるようにしたので、面倒な操作を必要とせず、迅速にコンテンツについて許可されている操作を知ることができるようになる。
【図面の簡単な説明】
【図１】本発明に係るコンテンツデータ管理システムの一実施の形態を示す図である。
【図２】パーソナルコンピュータ１の構成を説明するブロック図である。
【図３】パーソナルコンピュータ１の機能を説明するブロック図である。
【図４】メモリカード９に記憶されている権利情報の例を示す図である。
【図５】インポートを説明する図である。
【図６】移動を説明する図である。
【図７】パーソナルコンピュータ１に記録されている権利情報の例を示す図である。
【図８】権利情報に対応するアイコンを説明する図である。
【図９】権利情報に対応するアイコンを説明する図である。
【図１０】  GUI部１０１によるアイコンの表示の処理を説明するフローチャートである。
【符号の説明】
１  パーソナルコンピュータ，  ２  ネットワーク，  ３  ＥＭＤサーバ，  ４  ＷＷＷサーバ，  ５−１乃至５−４  ポータブルデバイス，  ６  端末装置，  ７  携帯電話機，  ８  PDA，  ９−１乃至９−４  メモリカード，  １１ＣＰＵ，  １２  ＲＯＭ，  １３  ＲＡＭ，  ２１  HDD，  ４１  磁気ディスク，  ４２  光ディスク，  ４３  光磁気ディスク，  ４４  半導体メモリ，１０１  GUI部，  １０２  コンテンツ管理処理部，  １０３  転送処理部，１０４  曲管理部，  １０５  権利情報格納部，  １０６  ファイル検索部，１０７  データベース，  １０８−１および１０８−２  曲ファイル格納部，１０９−１および１０９−２  PCプラグイン，  １１０−１および１１０−２音声出力部，  １１１−１および１１１−２  PDプラグイン，  １１２  メモリカードプラグイン，  ２０２  アイコン，  ２０３  アイコン，  ２０４  アイコン，  ２０５  アイコン，  ２０６  ボタン
【図１】
0004415233.tif 000002
【図２】
0004415233.tif 000003
【図３】
0004415233.tif 000004
【図４】
0004415233.tif 000005
【図５】
0004415233.tif 000006
【図６】
0004415233.tif 000007
【図７】
0004415233.tif 000008
【図８】
0004415233.tif 000009
【図９】
0004415233.tif 000010
【図１０】
0004415233.tif 000011